(57)【要約】携帯電話のようなコンテキスト認識型のモバイル装置が、様々な時刻および／または場所で実装するのが適切なＵＩ（ｕｓｅｒ  ｉｎｔｅｒｆｅｃｅ）設定を自動的に決定する。訪れた場所およびユーザが手動で構成したＵＩ設定を判定することによって、モバイル装置の振舞いを追跡する。移動およびＵＩ設定における、互いに関するおよび時刻に関するパターンを検出する。続いて、当該パターンに対応する特定の場所または時刻に達したとき、適切なＵＩ設定を実装することができ、それにより、この作業からユーザを解放する。例えばＷｉ−Ｆｉネットワーク、Ｂｌｕｅｔｏｏｔｈネットワーク、ＲＦもしくは赤外線ビーコン、または無線ＰＯＳ端末からのような、様々な場所での電磁信号によって場所を検出することができる。ＳＳＩＤのような、信号からの識別子を格納することができる。場所にラベルを自動的に割り当てることができ、または、よく訪れる場所にラベルを付すようユーザに促すことができる。
2013514603.tif 000002
【特許請求の範囲】
【請求項１】
制御モジュールが、センサーモジュールが感知する少なくとも一つのセンシングデータに対応する陳列製品を決定するステップと、
前記制御モジュールが、前記陳列製品に対応するシーンのシーンデータをシーンデータベースから提供を受けるステップと、
前記制御モジュールが、前記提供を受けたシーンデータに基づいて照明制御情報を生成してランプ制御部に提供するステップと、
前記ランプ制御部が、前記提供を受けた照明制御情報による照明制御信号をランプモジュールに出力するステップと、を含む
ことを特徴とする感性照明制御方法。
【請求項２】
前記決定するステップは、前記センサーモジュールが照度、輝度、色相、温度及び湿度の中で少なくとも一つを感知するステップと、
前記制御モジュールが、陳列製品リストで前記感知されたセンシングデータと対応する陳列製品を検索するステップと、を含むことを特徴とする請求項１に記載の感性照明制御方法。
【請求項３】
前記シーンデータは、照明の明るさ、色相及び色温度の中で少なくとも一つの情報を含むことを特徴とする請求項１に記載の感性照明制御方法。
【請求項４】
前記制御モジュールが前記センサーモジュールから提供されるセンシングデータに基づいて前記陳列製品が変更されたか否かを判断するステップと、
前記陳列製品が変更されたと判断した場合、前記制御モジュールが前記変更された陳列製品に対応するシーンデータを前記シーンデータベースから提供を受けてシーンデータを更新するステップと、
前記制御モジュールが前記更新されたシーンデータに基づいて照明制御情報を更新して前記ランプ制御部に提供すれば、前記ランプ制御部が前記更新された照明制御情報による照明制御信号をランプモジュールに出力するステップと、をさらに含むことを特徴とする請求項１に記載の感性照明制御方法。
【請求項５】
前記センサーモジュールからフィードバックされるセンシングデータと前記シーンデータとの差が臨界値範囲を脱する場合、前記差が臨界値範囲以内になるように前記制御モジュールが新しい照明制御情報を算出して前記ランプ制御部に提供するステップをさらに含むことを特徴とする請求項１に記載の感性照明制御方法。
【請求項６】
前記ランプ制御部に提供するステップは、前記ランプモジュールの電力消耗量が使用者インターフェースを通じて入力される目標電力消耗量と同一になるように、前記制御モジュールが前記シーンデータの照度を修正するステップを含むことを特徴とする請求項１に記載の感性照明制御方法。
【請求項７】
前記制御モジュールが使用者インターフェースを通じて入力される情報によって前記シーンデータの照度、色相または色温度を修正するステップと、
前記制御モジュールが前記修正されたシーンデータによって前記シーンデータベースを更新するステップと、をさらに含むことを特徴とする請求項１に記載の感性照明制御方法。
【請求項８】
制御モジュールが使用者インターフェースを通じて陳列製品の入力を受けるステップと、
前記制御モジュールが前記陳列製品に対応するシーンをシーンデータベースで検索して前記検索されたシーンのシーンデータを前記シーンデータベースから提供を受けるステップと、
前記制御モジュールが前記提供を受けたシーンデータに基づいて照明制御情報を生成してランプ制御部に提供するステップと、
前記ランプ制御部が前記提供を受けた照明制御情報による照明制御信号をランプモジュールに出力するステップと、を含む
ことを特徴とする感性照明制御方法。
【請求項９】
センサーモジュールが、照度、輝度、色相、温度及び湿度の中で少なくとも一つを感知するステップと、
前記制御モジュールが、照明環境リストで前記感知されたセンシングデータと対応する照明環境を決定し、前記決定された照明環境によって前記シーンデータを修正するステップと、
前記制御モジュールが前記修正されたシーンデータに基づいて照明制御情報を修正して前記ランプ制御部に提供すれば、前記ランプ制御部が前記修正された照明制御情報による照明制御信号をランプモジュールに出力するステップと、をさらに含むことを特徴とする請求項８に記載の感性照明制御方法。
【請求項１０】
少なくとも一つの発光装置を含むランプモジュールと、
前記ランプモジュールの照度を制御するランプ制御部と、
少なくとも一つのシーンデータを含むシーンデータベースと、
陳列製品に対応するシーンデータを前記シーンデータベースから検索して提供を受けて、前記提供を受けたシーンデータに基づいて前記ランプモジュールの照度に対する制御情報を前記ランプ制御部に提供する制御モジュールと、を含むことを特徴とする感性照明制御システム。
【請求項１１】
前記制御モジュールは、前記陳列製品に対する情報の入力を受けることができる使用者インターフェースを含むことを特徴とする請求項１０に記載の感性照明制御システム。
【請求項１２】
前記照度、輝度、色相、温度及び湿度の中で少なくとも一つを感知するセンサーモジュールをさらに含み、
前記制御モジュールは、陳列製品リストから前記センサーモジュールで感知されるセンシングデータと対応する陳列製品を検索し、前記検索された陳列製品に対応するシーンデータを前記シーンデータベースから提供を受けることを特徴とする請求項１０に記載の感性照明制御システム。
【請求項１３】
前記制御モジュールは、ジグビ（Ｚｉｇｂｅｅ）通信方式で前記ランプ制御部に前記制御情報を提供することを特徴とする請求項１０に記載の感性照明制御システム。
【請求項１４】
前記ランプ制御部は、前記ランプモジュールの電力消耗量を測定し、前記測定された電力消耗量情報を前記制御モジュールに提供することを特徴とする請求項１０に記載の感性照明制御システム。
【請求項１５】
前記シーンデータベースは、ＸＭＬ（ｅＸｔｅｎｓｉｂｌｅ  Ｍａｒｋｕｐ  Ｌａｎｇｕａｇｅ：拡張可能マークアップ言語）基盤で生成されることを特徴とする請求項１０に記載の感性照明制御システム。
【請求項１６】
前記制御モジュールは、前記陳列製品に対応するシーンデータを前記シーンデータベースから検索して提供を受ける中央制御部と、
前記シーンデータに基づいて生成される制御情報を前記ランプ制御部に提供する少なくとも一つの照明制御部と、を含むことを特徴とする請求項１０に記載の感性照明制御システム。
【請求項１７】
前記照明制御部は、イーサネット（ｅｔｈｅｒｎｅｔ）を含む通信網を通じて前記中央制御部と連結されたことを特徴とする請求項１６に記載の感性照明制御システム。
【請求項１８】
前記照明制御部は、ＵＳＢを含む入出力インターフェースを通じて前記中央制御部と連結されたことを特徴とする請求項１６に記載の感性照明制御システム。
【請求項１９】
前記中央制御部は、前記少なくとも一つの照明制御部が制御する照明モジュールの状態をディスプレーできる使用者インターフェースを含むことを特徴とする請求項１６に記載の感性照明制御システム。
【発明の詳細な説明】
【技術分野】
【０００１】
本発明は、感性照明制御方法及び感性照明制御システムに関する。
【背景技術】
【０００２】
感性照明とは、人間が作り出した人工照明を最大限自然照明と類似に作った人間親和的な照明として、人間の感性に合わせる精巧な照明色相を再現することができる照明である。特に、本明細書の感性照明は、明るさ、色相または色温度を調節することができるすべての種類の照明装置を含む意味として使用され、その代表的な例として、発光ダイオード（ＬＥＤ：Ｌｉｇｈｔ  Ｅｍｉｔｔｉｎｇ  Ｄｉｏｄｅ）を利用した照明装置がある。ＬＥＤ照明装置には、例えば、ＲＧＢ３原色の青色ＬＥＤ、赤色ＬＥＤ及び緑色ＬＥＤを一緒に実装して多様な色相の照明を演出することができる照明装置または多様な色温度を有する白色ＬＥＤを利用した照明装置などがある。
【０００３】
一方、消費電力量が少なくて、照明の明るさまたは色相の制御が容易である多様な感性照明装置が開発されることに従って、単純に決まった明るさで暗い空間を明るくする消極的な機能のみを担当した従来の照明の限界を脱して、多様な感性を演出して効率的に管理することができる照明システムに対する要求が大きくなっている。
【発明の概要】
【発明が解決しようとする課題】
【０００４】
したがって、本発明は前述のような問題点を解決するためになされたもので、感性照明制御方法及び感性照明制御システムを提供することをその目的とする。
【課題を解決するための手段】
【０００５】
上記の目的を達成するための本発明の第１側面は、制御モジュールがセンサーモジュールが感知する少なくとも一つのセンシングデータに対応する陳列製品を決定するステップと、前記制御モジュールが前記陳列製品に対応するシーン（ｓｃｅｎｅ）のシーンデータをシーンデータベースから提供を受けるステップと、前記制御モジュールが前記提供を受けたシーンデータに基づいて照明制御情報を生成してランプ制御部に提供するステップと、前記ランプ制御部が前記提供を受けた照明制御情報による照明制御信号をランプモジュールに出力するステップと、を含む感性照明制御方法を提供する。
【０００６】
前記目的を達成するための本発明の第２側面は、制御モジュールが使用者インターフェースを通じて陳列製品の入力を受けるステップと、前記制御モジュールが前記陳列製品に対応するシーン（ｓｃｅｎｅ）をシーンデータベースで検索して前記検索されたシーンのシーンデータを前記シーンデータベースから提供を受けるステップと、前記制御モジュールが前記提供を受けたシーンデータに基づいて照明制御情報を生成してランプ制御部に提供するステップと、前記ランプ制御部が前記提供を受けた照明制御情報による照明制御信号をランプモジュールに出力するステップと、を含む感性照明制御方法を提供する。
【０００７】
前記目的を達成するための本発明の第３側面は、少なくとも一つの発光装置を含むランプモジュールと、前記ランプモジュールの照度を制御するランプ制御部と、少なくとも一つのシーンデータを含むシーンデータベースと、陳列製品に対応するシーンデータを前記シーンデータベースから検索して提供を受け、前記提供を受けたシーンデータに基づいて前記ランプモジュールの照度に対する制御情報を前記ランプ制御部に提供する制御モジュールと、を含む感性照明制御システムを提供する。
【発明の効果】
【０００８】
本発明の実施例は次の長所を含む効果を有することができる。但し、開示された本発明の実施例がこれをすべて含むという意味ではないので、本発明の開示された技術の権利範囲は、これに制限されるものではない。
【０００９】
本発明による感性照明制御システムは、陳列製品に対する購買欲求を増加させることができる。本発明によれば、陳列製品を眼立たせる照明の明るさ、色相または色温度を自動で設定することができるので、使用者は簡便に陳列製品に適合な照明を設定及び変更することができる。また、実施例によれば、感性照明制御システムは、陳列製品が変更された場合にも、自動で照明の明るさ、色相または色温度を変更させることができ、周辺環境の変化を微細に感知して周辺環境に合わせて照明の明るさ、色相または色温度を修正して陳列製品に対する購買欲求を一層増加させることができる。
【００１０】
本発明による感性照明制御システムは、照明の消費電力を減少させることができる。本発明によれば、目標電力量によって照明を設定することが可能であり、使用者が電力消費現況及び照明の状態を簡便にモニタリングできるので、照明システムの管理が便利になる長所がある。
【図面の簡単な説明】
【００１１】
【図１】本発明の一実施例に係る感性照明制御システムの適用例を説明するための図である。
【図２】本発明の一実施例に係る感性照明制御システムを説明するためのブロック図である。
【図３】図１のシーン（ｓｃｅｎｅ）データベースを説明するための図である。
【図４】図３のシーン（ｓｃｅｎｅ）データベースを生成する方法を説明するための図である。
【図５】本発明の一実施例に係る図１の制御モジュールを説明するためのブロック図である。
【図６】中央制御部の使用者インターフェースを説明するための図である。
【図７】本発明の一実施例に係る照明制御方法を説明するためのフローチャートである。
【図８】本発明の一実施例によって、シーンデータの明るさを修正する方法を説明するためのフローチャートである。
【図９】本発明の他の一実施例によって、陳列製品の変更可否によって照明を自動で更新する方法を説明するためのフローチャートである。
【図１０】本発明の一実施例によって、照明環境によって照明を自動で修正する方法を説明するためのフローチャートである。
【図１１】本発明の一実施例によって、フィードバックされるセンシングデータによって照明制御情報を補正する方法を説明するためのフローチャートである。
【図１２】図１１の照明制御情報補正方法が適用された一実施例を説明するための図である。
【発明を実施するための形態】
【００１２】
以下、本明細書に開示された本発明の実施形態は、本発明の構造的及び機能的な技術内容をより分かりやすく説明し、本発明の理解を助けるために実施例を挙げたことに過ぎず、本発明の範囲を限定するものではない。すなわち、ここに開示された実施形態以外に、本発明の技術的思想に基づく他の変形例も実施可能であることは、本発明の属する技術分野における通常の知識を有する者に自明なことである。
【００１３】
一方、本明細書で使用される用語の意味は次のように理解されるはずである。
【００１４】
ある構成要素が他の構成要素に「連結されて」いるとの用語は、ある構成要素が他の構成要素に直接的に連結されることもできるが、中間に他の構成要素が介在することもできることを意味する。一方に、ある構成要素が他の構成要素に「直接連結されて」いるとの用語は、中間に他の構成要素が存在しないことを意味する。一方、構成要素との関係を説明する他の表現、すなわち、「〜間に」と「すぐ〜間に」または「〜に隣接する」と「〜に直接隣接する」などの用語も同様な意味として解釈する。
【００１５】
単数の表現は文脈上明白に相違に記載しない限り複数の表現を含むことで理解し、「含む」または「有する」などの用語は、実施された特徴、数字、ステップ、動作、構成要素、部分品またはこれらを組み合わせたものが存在することを指定するのであって、一つまたはその以上の他の特徴や数字、ステップ、動作、構成要素、部分品またはこれらを組み合わせたものなどの存在または付加可能性をあらかじめ排除することではない。
【００１６】
各ステップは文脈上明白に特定手順を記載しない限り記載された手順と異なる手順で行うことができる。すなわち、各ステップは、記載された手順と同一に行われることもでき、実質的に同時に実行されることもでき、または反対の順に実行されることもできる。
【００１７】
ここで使用されるすべての用語は、異に定義されない限り、開示された技術が属する分野における通常の知識を有する者により一般的に理解される意味と同一な意味を有する。一般的に使用される辞典に定義された用語は、関連技術の文脈上有する意味と一致することと解釈でき、本出願において明白に定義しない限り理想的または過度に形式的な意味を有することで解釈できない。
【００１８】
図１は、本発明の一実施例に係る感性照明制御システムの適用例を説明するための図である。本実施例の感性照明制御システムは、陳列製品によって照明の明るさ、色相または色温度を相違に設定することができる。一例として、陳列製品によって陳列製品の固有の色相を目立たせる照明の明るさ、色相または色温度を設定することができ、この場合、消費者の購買欲求を増加させる効果がある。
【００１９】
図１は、一例でマートの魚コーナー１１０に感性照明制御システムが適用された場合として、照明１２０の下に陳列された製品が、例えば、青魚であるか、白身魚であるかに従って各々の照明１２０がお互いに異なる色相、明るさまたは色温度を有することができる。照明１２０の明るさ、色相、色温度は、陳列製品の色相が目立つように設定される。一例で、食品類の場合、照明１２０の明るさ、色相または色温度は、陳列製品が新鮮に見えるように陳列製品固有の色相が再現されるように設定される。
【００２０】
図２は、本発明の一実施例による感性照明制御システムを説明するためのブロック図である。感性照明制御システム２００は、ランプモジュール２１０、ランプ制御部２２０、シーンデータベース２３０及び制御モジュール２４０を含む。
【００２１】
ランプモジュール２１０は少なくとも一つの発光装置（ランプ）を含む。ランプは、例えば、蛍光ランプ、ハロゲンランプ、ＬＥＤランプなどを使用することができるが、明るさまたは色相の調節が容易であり、消費電力が低くて、寿命が長いという長所を有するＬＥＤランプの使用が増加している。ランプモジュール２１０は、具現例によって、一つのランプからなることもでき、複数のランプを含むこともできる。また、複数のランプを含む場合、同一空間に近接して設置することもでき、物理的に離れた空間に設置することもできる。
【００２２】
一例として、図１の各々の照明１２０は各々別途のランプモジュール２１０になることができる。この時、各ランプモジュール２１０は、図１の照明１２０のように複数のランプを含むこともでき、図１の照明１２０と異なり一つのランプからなることもできる。また、他の一例として、図１の魚コーナー２１０の照明１２０をすべて含んで一つのランプモジュールで構成することもでき、図１の一つの照明１２０を複数のランプモジュールで構成することもできる。
【００２３】
ランプ制御部２２０は、ランプモジュール２１０の照度を制御する。一実施例によると、ランプ制御部２２０は、制御モジュール２４０から提供を受けた制御情報を照明制御信号に変換してランプモジュール２１０の個別ランプに提供することができる。制御情報は、例えば、各ランプモジュール２１０の個別ランプの照度値であり、照明制御信号は、一例で、ＰＷＭ（Ｐｕｌｓｅ  Ｗｉｄｔｈ  Ｍｏｄｕｌａｔｉｏｎ）信号である。ランプ制御部２２０がランプモジュール２１０の個別ランプの照度を変更すれば、ランプモジュール２１０の色相、明るさまたは色温度が変更される。例えば、赤色ＬＥＤ、緑色ＬＥＤ、青色ＬＥＤの各照度を調節して希望する色相を具現することもでき、お互いに異なる色温度を有する白色ＬＥＤの照度を調節して希望する色温度を具現することもできる。
【００２４】
シーンデータベース２３０は、少なくとも一つのシーン（ｓｃｅｎｅ）データを含む。シーンデータは、陳列製品によってマッピングされる照明の色相、明るさまたは色温度などを含む。シーンデータを生成する過程は、図３及び図４を参照して後述する。
【００２５】
制御モジュール２４０は、陳列製品に対応するシーンデータをシーンデータベース２３０から検索して提供を受ける。陳列製品に対する情報は、使用者が入力することもでき、使用者の入力なしに自動で決定することもできる。
【００２６】
一実施例によると、制御モジュール２４０は、使用者インターフェースを含んで陳列製品に対する情報を使用者から入力を受けることができる。制御モジュール２４０は、陳列製品の入力を受ければ、これに対応するシーンデータをシーンデータベースから検索し、検索されたシーンデータの提供を受ける。
【００２７】
他の一実施例によると、制御モジュール２４０は、使用者入力なしに陳列製品を自動で決定することができる。一例として、感性照明制御システム２００は、照度、輝度、色相、温度及び湿度の中で少なくとも一つを感知するセンサーモジュール２５０をさらに含み、制御モジュール２４０は、陳列製品リストからセンサーモジュール２５０で感知されるセンシングデータと対応する陳列製品を検索して陳列製品を決定することができる。センサーモジュールは、ランプモジュール２１０に近接設置されてランプ制御部２２０または制御モジュール２４０にセンシングデータを伝送する。陳列製品リストは、陳列環境の照度、輝度、色相、温度、湿度などのセンシングデータをそれと対応する陳列製品とマッピングしたリストである。例えば、リンゴ、サバ、鳥肉は、陳列場所の温度、湿度が相違であり、陳列製品の色相、輝度と異なるので、温度、湿度、色相、輝度データによって各々に該当する陳列製品をマッピングすることができる。センシングデータに基づいて自動で陳列製品が決定されると、決定された陳列製品に対応するシーンデータをシーンデータベース２３０から提供を受ける。
【００２８】
制御モジュール２４０は、提供を受けたシーンデータに基づいてランプモジュール２１０の制御情報をランプ制御部２２０に提供する。一例として、制御モジュール２４０は、ランプモジュール２１０がＲＧＢ  ＬＥＤである場合、シーンデータに設定された色相を具現するための個別的な赤色ＬＥＤ、緑色ＬＥＤ、青色ＬＥＤの照度を算出し、算出された照度値を含む制御情報をランプ制御部２２０に提供する。
【００２９】
制御モジュール２３０は、ランプ制御部２２０と有無線で連結される。一実施例によると、制御モジュール２３０は、ランプ制御部２２０と近距離無線通信方式で連結されて前記制御情報を伝送することができる。一例として、制御モジュール２３０は、ジグビ（Ｚｉｇｂｅｅ（登録商標））通信モジュールを含み、ジグビ通信方式でランプ制御部２２０に前記制御情報を提供することができる。ジグビ通信方式は、価格、電力、サイズ、データ通信利用能力などの側面で効用性がすぐれるという長所を有しており、制御モジュール２３０とランプ制御部２２０との間の配線を考慮する必要がないので、通信領域内では設置位置の制限が少ないという長所がある。
【００３０】
一実施例によると、制御モジュール２４０は、ディスプレー装置のような使用者インターフェースを含んでランプモジュール２１０の電力消費をモニタリングできる。ランプ制御部２２０は、連結されたランプモジュール２１０の電力消耗量を測定し、前記測定された電力消耗量情報を制御モジュール２４０に提供する。制御モジュール２４０は、提供される電力消耗量情報をディスプレー装置に表示することにより、使用者は各ランプモジュール２１０の電力消費量を容易に分かるようになる。また、使用者はこれを基盤として各ランプモジュール２１０または全体連結されたランプモジュールの目標電力消費量を設定するなどの直接的な電力使用量の計画を樹立することが可能である。
【００３１】
図３は、図１のシーンデータベースを説明するための図である。図３の（ａ）は、陳列製品が果物類である場合のシーンデータを例示している図で、シーンデータベース２３０には、陳列製品がリンゴ、桃、バナナ、スイカである場合、各々の照明で適合な色温度がマッピングされて保存されている。
【００３２】
図３の（ｂ）は、一実施例によって、陳列製品による色温度を算出するためのグラフで、リンゴ、桃、バナナ、スイカ自体の色相のＲＧＢ値により算出されたｘ、ｙ値がｘｙ色度に位置する地点によって適合な色温度区間が算出される。陳列製品によるシーンデータ値を決定する方法は、上述した方法に制限されるものではない。
【００３３】
図４は、図３のシーンデータベースを生成する方法を説明するための図である。まず、陳列製品の色相からＲ、Ｇ、Ｂ値を抽出し、これを単位ベクターで見做して数学式１によりｒ、ｇ、ｂ値を算出する（ステップＳ４１０）。
【００３４】
【数１】
2013514603.tif 000003
【００３５】
算出されたｒ、ｇ、ｂ値を利用してｘｙ色度の座標値を計算する（ステップＳ４２０）。ｘｙ色度座標値は、数学式２により計算することができる。
【００３６】
【数２】
2013514603.tif 000004
【００３７】
ｘ、ｙ座標が算出されると、算出された座標による図４のｘｙ色度位置によって適合な色温度区間が決定される（ステップＳ４３０）。
【００３８】
シーンデータベース２３０は、一実施例によると、ＸＭＬ（ｅＸｔｅｎｓｉｂｌｅ  Ｍａｒｋｕｐ  Ｌａｎｇｕａｇｅ：拡張可能マークアップ言語）基盤で生成され、機械語基盤で作成される場合に比べて編集が容易であるという長所がある。
【００３９】
図５は、一実施例による図１の制御モジュールを説明するためのブロック図である。図５を参照すれば、一実施例による制御モジュール２４０は、中央制御部５１０及び少なくとも一つの照明制御部５２０を含む。
【００４０】
中央制御部５１０は、陳列製品に対応するシーンデータを前記シーンデータベースから検索して提供を受ける。照明制御部５２０は、中央制御部５１０から前記シーンデータの提供を受けて前記シーンデータに基づいて生成される制御情報をランプ制御部２２０に提供する。中央制御部５１０は、照明制御部５２０と有無線で連結されて照明制御部５２０にシーンデータを伝送する。実施例よると、中央制御部５１０は、イーサネット（登録商標）（ｅｔｈｅｒｎｅｔ）を含む有無線通信網を通じて照明制御部５２０と連結される。この場合、中央制御部５１０は、通信網を通じて複数の照明制御部５２０と連結され、各々の照明制御部５２０は、複数の照明モジュール２１０を制御することができるので、使用者は中央制御部５１０を通じて建物全体、階全体、または複数の区域（店鋪）の照明を便利に制御して管理することができる。他の実施例として、中央制御部５１０は、ＵＳＢ（Ｕｎｉｖｅｒｓａｌ  Ｓｅｒｉａｌ  Ｂｕｓ）を含む入出力インターフェースを通じて照明制御部５２０と連結される。この場合には、通信網を別に構築する必要がなくて、中央制御部５１０または照明制御部５２０は移動式保存媒体（例えば、外装ハードディスク、ＵＳＢメモリーステッキ）で具現することができる。
【００４１】
また、実施例よると、陳列製品情報の入力を受けることができる使用者インターフェースは、中央制御部５１０または照明制御部５２０に含まれ、照明制御部５２０に含まれた使用者インターフェースを通じて陳列製品情報が入力される場合、照明制御部５２０は中央制御部５１０に陳列製品情報を伝送する。
【００４２】
図６は、中央制御部の使用者インターフェースを説明するための図である。図６の（ａ）は、建物全体（例えば、デパート、大型マートなど）を一つの感性照明制御システム２００で制御する場合の中央制御部５１０の使用者インターフェースの例示であり、図６の（ｂ）は、建物の一つの階を一つの感性照明制御システム２００で制御する場合の中央制御部５１０の使用者インターフェースの例示である。図６の（ａ）の場合、使用者は建物全体を制御またはモニタリングすることもでき、制御しようとする階または区域（または店鋪）を選択して、図６の（ｂ）のようなインターフェースを通じて選択された階または区域に対して制御またはモニタリングすることもできる。図６の（ｂ）の場合、使用者は一階全体または個別区域に対して制御またはモニタリングすることが可能である。
【００４３】
一実施例によると、中央制御部５１０は、感性照明制御システム２００の各照明モジュール２１０の状態を、図６のインターフェースを通じてモニタリングすることができる。モニタリングされる照明モジュールの状態では、照明モジュールの故障有無、正常連結可否、電力消費情報などが含まれる。
【００４４】
図７は、本発明の一実施例による照明制御方法を説明するためのフローチャートである。図２及び図５を参照して感性照明制御方法に対して説明する。また、図２の照明制御システム２００を時系列的に具現した場合も本実施例に該当するので、図２に対して説明した部分は本実施例にもそのまま適用される。
【００４５】
センサーモジュール２５０が、照度、輝度、色相、温度及び湿度の中で少なくとも一つを感知し、感知されるセンシングデータを制御モジュール２４０に提供する（ステップＳ７１０）。センシングデータが提供されると、制御モジュール２４０が前記提供される少なくとも一つのセンシングデータに基づいて陳列製品を決定する（ステップＳ７２０）。一例として、制御モジュール２４０が陳列製品リストから前記感知されたセンシングデータと対応する陳列製品を検索する方法により陳列製品を決定することができる。
【００４６】
一方、実施例よると、図７のステップＳ７１０、ステップＳ７２０とは異なり、制御モジュール２４０は使用者インターフェースを通じて陳列製品の入力を受けることもできる。
【００４７】
陳列製品が決定されると、制御モジュール２４０が、陳列製品に対応するシーンをシーンデータベース２３０から検索し（ステップＳ７３０）、検索されたシーンのシーンデータをシーンデータベース２３０から提供を受ける（ステップＳ７４０）。シーンデータは陳列製品に適合な照明の色相、明るさ及び色温度の中で少なくとも一つに対する情報を含む。
【００４８】
シーンデータの提供を受けると、制御モジュール２４０は、前記提供を受けたシーンデータに基づいて照明制御情報を生成する（ステップＳ７５０）。例えば、制御モジュール２４０は、提供を受けたシーンデータに設定されている色相、明るさまたは色温度を具現するためのランプモジュール２１０の各ランプの照度値を算出して前記照度値が含まれる照明制御情報を生成する。
【００４９】
照明制御情報が生成されると、制御モジュール２４０は生成された照明制御情報をランプ制御部２２０に提供する（ステップＳ７６０）。
【００５０】
ランプ制御部２２０が照明制御情報の提供を受けると、ランプ制御部２２０は、提供を受けた照明制御情報による照明制御信号をランプモジュール２１０に出力する（ステップＳ７７０）。例えば、照明制御信号はＰＷＭ信号であってもよい。
【００５１】
一方、実施例よると、提供を受けたシーンデータは修正することができる。一例として、制御モジュール２４０は、使用者インターフェースを通じて入力される情報によって前記提供を受けたシーンデータの照度、色相または色温度を修正することができ、修正されたシーンデータによって前記シーンデータベースが更新される。シーンデータが修正されると、前記ステップＳ７５０では、修正されたシーンデータによって照明制御情報を生成する。
【００５２】
他の一例として、制御モジュール２４０は、ランプモジュール２１０の電力消耗量が使用者インターフェースを通じて入力される目標電力消耗量と同一になるようにシーンデータの明るさを修正することができる。図８は、本発明の一実施例によって、シーンデータの明るさを修正する方法を説明するためのフローチャートである。一例として、ランプ制御部２２０は、ランプモジュール２１０から実際シーンデータによって各ランプが出力する値のフィードバックを受け（ステップＳ８１０）、フィードバックされた出力値に基づいてランプモジュール２１０の消耗電力を計算する（ステップＳ８２０）。他の一例として、図８とは異なり、ランプ制御部２２０は、連結されたランプモジュール２１０の規格に基づいてシーンデータによる明るさにおける消耗電力を計算して実際消耗電力値を推正することもできる。
【００５３】
計算された消耗電力は制御モジュール２４０に提供される（ステップＳ８３０）。一方、使用者は制御モジュール２４０の使用者インターフェースを通じて目標消耗電力値を入力する（ステップＳ８４０）。制御モジュール２４０にいつでも目標消耗電力値を入力できることは当業者に自明である。制御モジュール２４０は、シーンデータベースから陳列製品に対応するシーンデータを要請し（ステップＳ８５０）、要請したシーンデータの提供を受ける（ステップＳ８６０）。制御モジュール２４０が以前に提供を受けたシーンデータを有効に有している場合には、ステップＳ８５０及びステップＳ８６０を省略してもよい。制御モジュール２４０は、実際ランプモジュール２１０の消耗電力量が目標消耗電力量と同一になるようにシーンデータの明るさを修正する（ステップＳ８７０）。例えば、制御モジュール２４０は、算出された実際ランプモジュール２１０の電力消耗量が目標電力消耗量より大きい場合、シーンデータの全体ランプモジュール２１０の照度値を減少させることができる。
【００５４】
制御モジュール２４０は、修正されたシーンデータによって照明制御情報を修正し、修正された照明制御情報をランプ制御部２２０に提供する（ステップＳ８８０）。ランプ制御部２２０は、修正された照明制御情報の提供を受けると、照明制御信号を修正してランプモジュール２１０に提供する（ステップＳ８９０）。
【００５５】
照明制御システム２００は、使用者が入力する目標電力消耗量に合わせてシーンデータの明るさを調節することができるので、簡便にランプモジュール２１０の全体電力消耗量を調節することができる。したがって、計画的な電力消耗が可能である。さらに、照明制御システム２００は、実際ランプモジュール２１０の電力消耗量をフィードバックすることができ、使用者インターフェースを通じてモニタリングすることができるので、使用者は実際フィードバックされる電力消耗量に基づいて目標消耗電力量を入力することができる。したがって、使用者は一層効果的に電力消耗を管理し且つ電力消耗量を節減することができる。
【００５６】
図９は、本発明の他の一実施例に係る陳列製品の変更可否によって照明を自動で更新する方法を説明するためのフローチャートである。本実施例によれば、図７の方法により陳列製品に合わせてランプモジュールの色相、明るさまたは色温度が設定された以後に、陳列製品が変更されると、陳列製品が変更に従ってランプモジュールの色相、明るさまたは色温度情報が自動で更新される。
【００５７】
これのために、センサーモジュール２５０は、照度、輝度、色相、温度及び湿度の中で少なくとも一つを感知し、感知されるセンシングデータを制御モジュール２４０に提供する（ステップＳ９１０）。
【００５８】
制御モジュール２４０は、センシングデータの提供を受けると、提供を受けたセンシングデータに基づいて前記陳列製品が変更されたか否かを判断する（ステップＳ９２０）。一実施例によると、制御モジュール２４０は、センシングデータ値があらかじめ設定された臨界値以上に変更された場合、陳列製品が変更されたと判断する。
【００５９】
制御モジュール２４０は、陳列製品が変更されたと判断された場合、変更された陳列製品が何なのかを決定する（ステップＳ９３０）。例えば、前記ステップＳ７２０と同様に、変更されたセンシングデータに基づいて変更された陳列製品を決定することができる。制御モジュール２４０は、変更された陳列製品が決定されると、前記変更された陳列製品に対応するシーンデータを前記シーンデータベースから提供を受けて（ステップＳ９４０）シーンデータを更新する。
【００６０】
シーンデータが更新されると、制御モジュール２４０は、前記ステップＳ７５０及びステップＳ７６０と同様に、更新されたシーンデータに基づいて照明制御情報を算出して更新し、更新された照明制御情報をランプ制御部２２０に提供すれば、前記ステップＳ７７０と同様に、ランプ制御部２２０が前記更新された照明制御情報による照明制御信号をランプモジュール２１０に出力する。
【００６１】
図１０は、本発明の一実施例に係る照明環境によって照明を自動で修正する方法を説明するためのフローチャートである。本実施例によれば、陳列製品によって適合な照明が設定された場合、追加的に外部照明環境によってシーンデータを修正することで一層細密な感性照明制御が可能になる。
【００６２】
センサーモジュール２５０が照明環境の照度、輝度、色相、温度及び湿度の中で少なくとも一つを感知して制御モジュール２４０にセンシングデータを提供する（ステップＳ１０１０）。
【００６３】
制御モジュール２４０が照明環境リストから提供を受けたセンシングデータと対応する照明環境を決定する（ステップＳ１０２０）。例えば、照明環境は、天気、季節、時間などになることができ、照明環境リストは、照度、輝度、色相、温度及び湿度の中で少なくとも一つのセンシングデータをこれと対応する照明環境とマッピングしたリストである。照明環境リストは、例えば、天気、季節、時間による照度、温度または湿度統計データに基づいて生成することができる。
【００６４】
制御モジュール２４０は、決定された照明環境によってシーンデータを修正する（ステップＳ１０３０）。例えば、雨が降るか曇った日は、照明の明るさまたは色温度を高めて顧客に活動感を与えることで、雨が降るか曇った日に低下されやすい顧客の消費心理を刺激することができる。
【００６５】
制御モジュール２４０が前記修正されたシーンデータに基づいて照明制御情報を修正してランプ制御部２２０に提供すれば（ステップＳ１０４０）、ランプ制御部２２０が前記修正された照明制御情報による照明制御信号をランプモジュール２２０に出力する（ステップＳ１０５０）。
【００６６】
図１１は、本発明の一実施例に係るフィードバックされるセンシングデータによって照明制御情報を補正する方法を説明するためのフローチャートである。センサーモジュール２５０は、感知されるセンシングデータを制御モジュール２４０に提供する（ステップＳ１１１０）。例えば、センシングデータは、照度であってもよい。制御モジュール２４０は、フィードバックで提供を受けたセンシングデータをシーンデータと比較し、センシングデータとシーンデータの差があらかじめ設定された臨界値範囲以内であるか否かを判断する（ステップＳ１１２０）。制御モジュール２４０は、前記差が臨界値範囲以内であれば、実質的にセンシングデータとシーンデータが同一であると判断してランプモジュール２１０の明るさ、色相または色温度がランプモジュール２１０の制御基準であるシーンデータに合わせて正常的に設定されていると判断する。一方、制御モジュール２４０は、前記差が臨界値範囲以上である場合、ランプモジュール２１０の明るさ、色相または色温度が設定基準であるシーンデータと異なると判断してランプモジュール２１０の制御に補正が必要であると判断する。
【００６７】
制御モジュール２４０は、前記差が臨界値範囲以上である場合、前記差が臨界値範囲以内になるように新しい照明制御情報を算出する（ステップＳ１１３０）。例えば、実際センシングデータによる明るさがシーンデータによる明るさより低い場合、照明制御情報の照度値を高めて、反対に、実際センシングデータによる明るさがシーンデータによる明るさより高い場合、照明制御情報の照度値を低めて照明制御情報を補正する。
【００６８】
制御モジュール２４０は、補正された照明制御情報をランプ制御部２２０に提供し（ステップＳ１１４０）、新しい制御信号をランプモジュール２１０に提供する。
【００６９】
図１２は、図１１の照明制御情報補正方法が適用された一実施例を説明するための図である。例えば、ランプモジュールが設置された位置が窓ぎわであるか中央であるか隅であるかによって、または天気が晴れか曇りかによって、同一なシーンデータの照明を具現するために必要な照明制御情報は異なるので、特定基準（例えば、晴れた日、中央空間）に合わせて算出される照明制御情報は、制御後の実際照明による明るさ、色相または色温度のフィードバックを受けて補正することができる。
【００７０】
以上において説明した本発明は、本発明が属する技術の分野における通常の知識を有する者であれば、本発明の技術的思想を逸脱しない範囲内で、様々な置換、変形及び変更が可能であるので、上述した実施例及び添付された図面に限定されるものではない。
【図２】
2013514603.tif 000005
【図４】
2013514603.tif 000006
【図５】
2013514603.tif 000007
【図７】
2013514603.tif 000008
【図８】
2013514603.tif 000009
【図９】
2013514603.tif 000010
【図１０】
2013514603.tif 000011
【図１１】
2013514603.tif 000012
【図１】
2013514603.tif 000013
【図３】
2013514603.tif 000014
【図６】
2013514603.tif 000015
【図１２】
2013514603.tif 000016
【国際調査報告】
2013514603.tif 000017
2013514603.tif 000018
2013514603.tif 000019
2013514603.tif 000020